(57)【要約】【課題】本発明の実施の形態は、携帯用コンピュータのセキュリティー機構動作方法を提供する。【解決手段】動作方法は、最初に、キー信号を埋込コントローラ（ＥＣ）１０２に提供する。キー信号を受信すると、それに従ってセキュリティーチェックとセキュリティー動作とがＥＣ１０２により発生される。セキュリティー動作は、キーボードからの入力を防止すること、マウスからの入力を防止すること、携帯用コンピュータがスイッチオンされるのを防止すること、および、ＢＩＯＳデータが変更されるのを防止すること等を含んでいる。【選択図】図１
2005032214.tif 000002
【特許請求の範囲】
【請求項１】
携帯用コンピュータに埋込コントローラ（ＥＣ）が装備され、前記ＥＣにセキュリティー機構が装備されている前記携帯用コンピュータのセキュリティー機構動作方法であって、
キー信号を提供して、前記携帯用コンピュータがロックされているか否かを前記ＥＣが知ることを可能にするキーを用意し、
前記携帯用コンピュータがロックされていることを示す前記キー信号を前記ＥＣが受信している間に、前記セキュリティー機構をスイッチオンにし、
不正侵入動作が生じているか否かを判定し、
前記不正侵入動作に応答してセキュリティー動作を起動することを特徴とする携帯用コンピュータのセキュリティー機構動作方法。
【請求項２】
請求項１記載の動作方法において、
前記携帯用コンピュータがスイッチオンされるのを前記セキュリティー機構が防止することを特徴とする携帯用コンピュータのセキュリティー機構動作方法。
【請求項３】
請求項１記載の動作方法において、
前記セキュリティー機構がキーボードからの入力を防止することを特徴とする携帯用コンピュータのセキュリティー機構動作方法。
【請求項４】
請求項１記載の動作方法において、
前記セキュリティー機構がマウスからの入力を防止することを特徴とする携帯用コンピュータのセキュリティー機構動作方法。
【請求項５】
請求項１記載の動作方法において、
ベーシックな入力／出力システム（ＢＩＯＳ）データが変更されるのを前記セキュリティー機構が防止することを特徴とする携帯用コンピュータのセキュリティー機構動作方法。
【請求項６】
請求項１記載の動作方法において、
前記キーが、前記携帯用コンピュータの内部装置または内部機能であることを特徴とする携帯用コンピュータのセキュリティー機構動作方法。
【請求項７】
請求項１記載の動作方法において、
前記キーが前記携帯用コンピュータの外部装置または外部機能であることを特徴とする携帯用コンピュータのセキュリティー機構動作方法。
【請求項８】
請求項１記載の動作方法において、
前記キー信号がバイナリ信号であることを特徴とする携帯用コンピュータのセキュリティー機構動作方法。
【請求項９】
請求項１記載の動作方法において、
前記セキュリティー機構によって不正侵入動作が検出された時に、セキュリティー機能の関連フォローアップ処理が生じることを特徴とする携帯用コンピュータのセキュリティー機構動作方法。
【請求項１０】
請求項９記載の動作方法において、
前記関連フォローアップ処理が前記携帯用コンピュータをスイッチオフにすることを特徴とする携帯用コンピュータのセキュリティー機構動作方法。
【請求項１１】
請求項９記載の動作方法において、
前記関連フォローアップ処理が、前記携帯用コンピュータのモニタ装置をスイッチオフにすることを特徴とする携帯用コンピュータのセキュリティー機構動作方法。
【請求項１２】
請求項９記載の動作方法において、
前記関連フォローアップ処理がセキュリティープログラムを実行することを特徴とする携帯用コンピュータのセキュリティー機構動作方法。
【発明の詳細な説明】
【技術分野】
【０００１】
本発明は概して携帯用コンピュータに関し、さらに詳細には、携帯用コンピュータのセキュリティー機構の動作方法に関する。
【背景技術】
【０００２】
現在、携帯用コンピュータ（たとえばラップトップコンピュータ）が人気である。近い将来、誰でも携帯用コンピュータを所有することが可能になる。
【発明の開示】
【発明が解決しようとする課題】
【０００３】
しかしながら、データ転送技術が携帯用データ転送装置とともに成熟するにつれ、あるコンピュータから他のコンピュータへデータが便利よく伝えられるとともに転送可能になる。また、コンピュータ間ではデータを容易に盗むことができる。今日では、携帯用コンピュータにセキュリティーシステムが通常装備されていない。携帯用コンピュータ内のトップシークレットのデータを数分で盗むことができる。それ故に、携帯用コンピュータのセキュリティーシステムは、ユーザデータが盗まれるのを防ぐために、大いに必要とされている。
【課題を解決するための手段】
【０００４】
従って、本発明の好適な態様は、携帯用コンピュータのセキュリティーシステム動作方法を提供する。本発明の好適な態様は、埋込コントローラ（ＥＣ）の機能と、キーボード、マウスインタフェース、または電源スイッチの入力を監視するスイッチとを利用して、携帯用コンピュータが不正侵入されるのを守るものである。
【０００５】
本発明に係る携帯用コンピュータのセキュリティーシステム動作方法は携帯用コンピュータにＥＣを装備させ、ＥＣがセキュリティー機構を備えている。その動作方法では、キーが最初に用意される。キーは、ＥＣに送る信号を提供して、携帯用コンピュータがロックされているか否かを示すようにしている。次に、携帯用コンピュータがロックされていることをＥＣが検出した場合には、ＥＣはセキュリティー機構をスイッチオンする。それから、携帯用コンピュータがハッカーによって現在不正侵入されているか、または、不正侵入されようとしているかをセキュリティー機構が判定し、セキュリティー掲示（通知）、警報、または、携帯用コンピュータのロックのような対応セキュリティー動作にセキュリティー機構が答える。
【０００６】
本発明の好適な態様では、セキュリティー動作は、電源にロックすること、キーボード入力をロックすること、マウス入力をロックすること、ベーシックな入力／出力システム（ＢＩＯＳ）へのセキュリティー信号を携帯用コンピュータに知らせて、さらなるセキュリティー動作を取るようにすることを含む。
【０００７】
本発明の好適な態様では、キーは、携帯用コンピュータにおける物理的なキー単位または機能的なキー単位であり、または、外部装置のキー単位またはキー機能である。
【０００８】
本発明の好適な態様では、セキュリティー機構がスイッチオンされた後に、フォローアップ処理が開始される。フォローアップ処理は、携帯用コンピュータをスイッチオフにすること、携帯用コンピュータのモニタをスイッチオフにすること、または、特殊なセキュリティープログラムを行うことを含んでいる。
【０００９】
上述への要約として、本発明の好適な態様は、外部装置、内部装置、または、セキュリティーキーになる携帯用コンピュータの内部機能を利用している。それから、セキュリティーキーの関連回路により生成された信号を介して、携帯用コンピュータがロックされているか否かをＥＣが知る。携帯用コンピュータがロックされていることをＥＣが認識すると、ＥＣはセキュリティー機構をスイッチオンする。さらに、セキュリティー機構は、不正侵入動作が検出されると、警報、警告メッセージ、または、セキュリティー動作を発する。それ故に、本発明の好適な態様は、携帯用コンピュータにセキュリティー機構を装備させて携帯用コンピュータ内のデータを守るようにしている。
【発明を実施するための最良の形態】
【００１０】
添付図面は、発明のさらなる理解を提供するために伴われ、この明細書の一部に組み込まれ、かつ、その一部を構成する。図面は、発明の実施の形態を例示し、明細書の記述とともに、発明の原理を説明するのに役立っている。
【００１１】
図１を参照すると、本発明の好適な実施の形態である携帯用コンピュータ１０が図示されている。携帯用コンピュータ１０は、ＥＣ１０２、コンピュータシステム１０４，他の関連システム１０６、電源装置（ユニット）１０８、および、キー１１０からなる。ＥＣ１０２は、コンピュータシステム１０４および他の関連システム１０６の動作を制御するために使用され、セキュリティー機構を装備されている。キー回路を伴ったキー１１０は、ＥＣ１０２に信号を提供して、携帯用コンピュータ１０がロックされているか否かを示す。たとえば、キー１１０は、携帯用コンピュータ１０の内部キー単位または内部キー機構であることがある。たとえば、キー１１０はキーボード上での特殊キーであることがあり、キーが押し下げられると、携帯用コンピュータ１０がロックされていることをＥＣ１０２は知る。または、キー１１０は、外部装置の単位または機能であることがある。たとえば、キー１１０は、赤外線リモートコントロール装置上のボタンであることがあり、そのボタンが押し下げられると、赤外線信号が携帯用コンピュータ１０に転送され、それに従ってＥＣがセキュリティー機構を起動する。携帯用コンピュータ１０がロックされているか否かをＥＣ１０２が知ることを可能にする何らかの種類の装置がキー１１０であることは、当業者にとって明白である。
【００１２】
図２を参照して、本発明の好適な実施の形態である携帯用コンピュータのセキュリティー機構の動作方法に関するフローチャート図が示されている。その動作方法では、最初に、キー１１０の機能は、外部装置、または、携帯用コンピュータ１０の内部装置または内部機能に割り当てられる。それから、携帯用コンピュータ１０内のキー１１０の関連回路を介して信号を生成して、携帯用コンピュータがステップＳ２０２で示されるようにロックされているか否かをＥＣ１０２に知らせるようにしている。携帯用コンピュータがロックされていないことをＥＣ１０２が知る場合には、ＥＣ１０２は、携帯用コンピュータがステップＳ２０４で示されるように正常に機能（動作）することを可能にする。他方、携帯用コンピュータがロックされていることをＥＣ１０２が知る場合には、ＥＣ１０２は、ステップ２０６で示されているように、それに従ってセキュリティー機構をスイッチオンする。セキュリティー機構は、ハッカーからの携帯用コンピュータのスイッチオンを防止すること、ハッカーからのキーボード入力を防止すること、ハッカーからのマウス入力を防止すること、および、セキュリティー信号をＢＩＯＳに提供してＢＩＯＳデータが変更されるのを守ることを含めたセキュリティー機能を提供する。次に、ステップＳ２０８で示されるように、携帯用コンピュータ１０がハッカーによって現在不正に侵入されているか、または、不正に侵入され続けているかをＥＣ１０２が判定する。携帯用コンピュータ１０がハッカーによって現在不正に侵入されていない場合、または、ハッカーによって不正に侵入され続けていない場合には、ＥＣ１０２はステップＳ２０２に戻る。しかしながら、携帯用コンピュータ１０が現在不正に侵入されていること、または、不正に侵入され続けていることをＥＣ１０２が判定した場合には、ＥＣ１０２は、ステップＳ２１０で示されるように、セキュリティー機能をスイッチオンする。さらに、フォローアップの（それに続く）セキュリティー処理はステップＳ２１２で示されるように行われる。フォローアップのセキュリティー処理は、携帯用コンピュータをスイッチオフにすること、携帯用コンピュータのモニタをシャットダウンすること、または、特殊なセキュリティープログラムを実行することを含んでいる。関連されるセキュリティー動作は、１つのステップをさらに取ると、攻撃動作または自己崩壊動作を含む。
【００１３】
本発明の好適な実施の形態では、キー１１０は、ＥＣ１０２のターミナルに接続されている。しかしながら、ＥＣ１０２へ送られるキー１１０の関連回路からの信号がバイナリ信号になることがあるが、その信号がバイナリ信号に制限されないことは、当業者にとって明白である。
【００１４】
上述に対する要約として、本発明の好適な実施の形態は、外部装置、または、セキュリティーキーになる携帯用コンピュータ１０の内部装置または内部機能を利用している。それから、セキュリティーキーの関連回路によって生成された信号を介して、ＥＣ１０２は、携帯用コンピュータ１０がロックされているか否かを知る。携帯用コンピュータ１０がロックされていることをＥＣ１０２が認識すると、ＥＣ１０２はセキュリティー機構をスイッチオンする。さらに、不正侵入動作が検出されると、セキュリティー機構は、警報、警告メッセージ、またはセキュリティー動作を発する。それ故に、本発明の好適な実施の形態は、携帯用コンピュータにセキュリティー機構を装備させて、携帯用コンピュータ１０内のデータを守るようにしている。
【００１５】
本発明の範囲または趣旨から逸脱することなく、様々な変更または変形が本発明の好適な実施の形態における構造または方法になすことができることは、当業者にとって明らかになる。前述の観点から、発明の変更および変形が請求項およびそれと等価物の範囲内である場合には、本発明はそれらに及ぶものである。
【図面の簡単な説明】
【００１６】
【図１】本発明の好適な実施の形態における携帯用コンピュータの説明図である。
【図２】本発明の好適な実施の形態における携帯用コンピュータのセキュリティー機構の動作方法を示すフローチャート図である。
【符号の説明】
【００１７】
１０      携帯用コンピュータ
１０２    埋込コントローラ
１０４    コンピュータシステム
１０６    他の関連システム
１０８    電源装置
１１０    キー
【図１】
2005032214.tif 000003
【図２】
2005032214.tif 000004